(57)【特許請求の範囲】
【請求項１】
装着可能な反射装置であって：
ミラー；
ベース；及び
該装置をユーザに固定するように前記ベースに取着されているストラップ；
を含み、
前記ミラーは、回動要素及び回転要素によって前記ベースに接続されており：
前記回動要素は、前記ミラーが第１の平面に沿って回動することを可能にするように構成されており、前記回転要素は、１つ又は複数の突起が沿うように移動することができる環状チャネルを備え、前記ミラー及び前記回動要素が第２の平面において回転することを可能にするように構成されており、前記第１の平面は前記第２の平面に直交し、前記ミラーは自由に、３６０度回転する、装着可能な反射装置。
【請求項２】
前記ストラップはユーザにフィットするように調整可能である、請求項１に記載の装着可能な反射装置。
【請求項３】
前記ミラーは研磨されたアルミニウム表面を含む、請求項１に記載の装着可能な反射装置。
【請求項４】
前記回動要素はヒンジを含む、請求項１に記載の装着可能な反射装置。
【請求項５】
前記１つ又は複数の突起は環状突起を含む、請求項１に記載の装着可能な反射装置。
【請求項６】
前記ベースは、前記ミラーを受け入れるキャビティを含む、請求項１に記載の装着可能な反射装置。
【請求項７】
前記ストラップは、医療情報シートを受け入れるスリーブを含む、請求項１に記載の装着可能な反射装置。
【請求項８】
前記ストラップは、前記医療情報シートの存在を識別する識別子を含む、請求項７に記載の装着可能な反射装置。
【請求項９】
前記ストラップは、面ファスナ及び前記ベースのチャネルを用いて該ベースに取着される、請求項１に記載の装着可能な反射装置。
【請求項１０】
前記ストラップは、該ストラップの第１の面から該ストラップの第２の面に延びる複数の孔を画定する、請求項１に記載の装着可能な反射装置。
【請求項１１】
前記ベースの下面は湾曲している、請求項１に記載の装着可能な反射装置。
【請求項１２】
前記ベースは複数の六角形の孔を含む、請求項１に記載の装着可能な反射装置。
【請求項１３】
前記ミラーは、前記ミラーを自由に、３６０度回転させることを可能にする連結部材によって、前記ベースに接続される、請求項１に記載の装置。
【請求項１４】
前記ミラーは、カバーが閉じると、前記カバー及び前記ベースによって包囲されるように前記カバーの内面に取り付けられている、請求項１〜１２のうちいずれか一項に記載の装置。
【請求項１５】
前記ベースは、前記カバーが閉じたときに、前記カバーを囲むキャビティを含む、請求項１４に記載の装置。
【請求項１６】
前記ベースの中にあるキャビティの周囲領域に形成された前記環状チャネルは、前記回転要素を回転したときに、前記環状突起が前記環状チャネルに沿って移動するように前記回転要素の環状突起に係合している、請求項１に記載の装置。
【請求項１７】
前記回転要素と前記ベースはＯリングによって分離されている、請求項１６に記載の装置。
【請求項１８】
ユーザは、前記回転要素及びヒンジの双方を用いて視野を最初に設定し、次に、前記回転要素を後に調整する必要なくカバーを単に開閉することが可能であり、これによって、ユーザは、装着可能な反射装置の回転構造を保持することが可能でありながらも装着可能な反射装置を迅速に開閉することが可能となる、請求項１６に記載の装置。
【発明の詳細な説明】
【技術分野】
【０００１】
本発明は安全装置に関し、特に、限定的ではないが、装着可能な反射装置に関する。
【背景技術】
【０００２】
サイクリングは、人気のあるスポーツ及び娯楽であり、輸送手段としてのサイクリングは、環境要因及び金銭的要因から人気となっている。しかし、都市環境において、渋滞の中を、及び混み合った歩道において職場まで乗ることは危険である可能性がある。
【０００３】
サイクリストは、自身の周囲の知識を有することによって、及び他者の行動を予測することによって自身の安全性を高めることができる。このことは、後ろから近づいてくる車両又は他のサイクリストに気が付くことを含み得る。同様に、レース時、競争相手の位置の把握が、サイクリング戦略の不可欠の部分を形成し得る。
【０００４】
したがって、サイクリストにとっては、後ろを見るために定期的に振り返ることが一般的である。しかし、このように後ろを見ることには幾つかの不都合点がある。第１に、サイクリストの視覚が、自身が走行している進路から完全に逸らされる。このことは例えば正面衝突のリスクを高める可能性がある。第２に、サイクリストは通常、肩を動かさずに自身の頭を１８０度回転させることはできないため、サイクリストにとって、真っ直ぐなライド位置を維持することが難しい。
【０００５】
バックミラーを用いることによって従来技術の不都合点を低減しようとする試みがなされてきた。
【０００６】
自転車のハンドルバーに直接的に取り付けられるように設計されている従来技術のバックミラーが存在する。そのようなミラーは、延長アームによってハンドルバーに取着されるため、ミラーは好適な位置まで上昇される。
【０００７】
ハンドルバーに取り付けられるミラーに関連する問題は、ミラーが不安定であり、例えば典型的な道路等の粗面における自転車の振動によって不鮮明になることである。ハンドルバーに取り付けられるミラーに関連する更なる問題は、ミラーが延長アームのために嵩張り、したがって、事故の場合に損傷を受けやすいとともにサイクリスト及び／又は他者に負傷を負わせやすいことである。
【０００８】
さらに、サイクリストのヘルメットに取り付けられるように設計されているミラーが存在する。そのようなヘルメットに取り付けられるミラーに関連する問題は、ミラーが特定のタイプのヘルメットの使用を必要とし、及び／又はヘルメットの変更を必要とすることである。さらに、ヘルメットに取り付けられるミラーは、サイクリストの動きの邪魔となり、事故の場合には更なる負傷を負わせる可能性がある。
【０００９】
したがって、改良された安全装置が必要とされている。
【発明の概要】
【発明が解決しようとする課題】
【００１０】
本発明の幾つかの実施形態の目的は、消費者に上述した従来技術に勝る改良及び利点を提供すること、並びに／又は、従来技術の上述した不都合点の１つもしくは複数を克服及び軽減すること、並びに／又は、有用な市販の選択肢を提供することである。
【課題を解決するための手段】
【００１１】
第１の態様によると、本発明は、装着可能な反射装置であって：
ミラー；
ベース；及び
装置をユーザに固定するようにベースに取着されているストラップ；
を含み、
ミラーは、回動要素及び回転要素によってベースに接続されており：
回動要素は、ミラーが第１の平面に沿って回動することを可能にするように構成されており、回転要素は、ミラー及び回動要素が第２の平面において回転することを可能にするように構成されており、第１の平面は第２の平面に実質的に直交する、装着可能な反射装置にある。
【００１２】
好ましくは、ストラップはユーザにフィットするように調整可能である。
【００１３】
好ましくは、ミラーは研磨されたアルミニウム表面を含む。
【００１４】
好ましくは、回動要素はヒンジを含む。
【００１５】
好ましくは、回転要素は、１つ又は複数の突起が沿うように移動することができる環状チャネルを含む。
【００１６】
好ましくは、１つ又は複数の突起は環状突起を含む。
【００１７】
好ましくは、ベースは、反射面を受け入れるキャビティを含む。
【００１８】
好ましくは、ストラップは、医療情報シートを受け入れるスリーブを含む。
【００１９】
好ましくは、ストラップは、医療情報シートの存在を識別する識別子を含む。
【００２０】
好ましくは、ストラップは、面ファスナ及びベースのチャネルを用いてベースに取着される。
【００２１】
好ましくは、ストラップは、ストラップの第１の面からストラップの第２の面に延びる複数の孔を画定する。
【００２２】
好ましくは、ベースの下面は湾曲している。
【００２３】
好ましくは、ベースは複数の六角形の孔を含む。
【００２４】
第２の態様によると、本発明は、装着可能な反射装置であって：
ミラー；
ミラーを受け入れるキャビティを含むベース；及び
ミラーをベースに接続する連結部材であって、ミラーが第１の位置と第２の位置との間で移動することを可能にし、反射面は第１の位置ではキャビティによって保護され、第２の位置では露出する、連結部材
を含む、装着可能な反射装置にある。
【００２５】
本発明の理解を助けるために、また、当業者が本発明を実用的な効果があるものにすることを可能にするために、本発明の好ましい実施形態を、添付の図面を参照して専ら例として以下で説明する。
【図面の簡単な説明】
【００２６】
【図１】本発明の一実施形態による、ユーザの腕に取り付けられる装着可能な反射装置を示す図である。
【図２】カバーが閉じた状態の図１の装着可能な反射装置を示す図である。
【図３】図１の装着可能な反射装置の分解図である。
【図４ａ】図１の装着可能な反射装置の上面斜視図である。
【図４ｂ】図１の装着可能な反射装置の底面斜視図である。
【図５ａ】図１の装着可能な反射装置のストラップの上面図である。
【図５ｂ】図５ａのストラップの底面図である。
【図５ｃ】図５ａのストラップの端部の拡大側面図である。
【発明を実施するための形態】
【００２７】
当業者は、図面に示されるような構成部材のレイアウトからの多少の逸脱は、本発明の開示される実施形態の適切な機能を損なわないことを理解するであろう。
【００２８】
本発明の実施形態は装着可能な反射装置を含む。本発明の要素は、図面には簡潔でおおまかな形態で示されており、本発明の実施形態の理解に必要であるが、本記載を踏まえて当業者には自明である余分な詳細によって本開示を混乱させないような特定の詳細のみを示している。
【００２９】
本特許明細書では、第１の及び第２の、左及び右、前及び後ろ、上部及び底部等のような形容詞は専ら、これらの形容詞によって説明される特定の相対位置又はシーケンスを必ずしも必要とすることなく１つの要素又は方法のステップを別の要素又は方法のステップから規定するように用いられる。「備える」又は「含む」等の用語は、要素又は方法のステップの排他的なセットを規定するようには用いられない。むしろ、そのような用語は単に、本発明の特定の実施形態に含まれる要素又は方法のステップの最小のセットを規定する。
【００３０】
本明細書におけるいずれかの従来技術への言及は、従来技術が共通一般知識の一部を形成することを認めるか又は何らかの形で示唆するものではなく、そのように解釈されるべきではない。
【００３１】
１つの態様によると、本発明は、装着可能な反射装置であって：ミラー；ベース；及び装置をユーザに固定するようにベースに取着されているストラップを含み；ミラーは、回動要素及び回転要素によってベースに接続されており：回動要素は、ミラーが第１の平面に沿って回動することを可能にするように構成されており、回転要素は、ミラー及び回動要素が第２の平面において回転することを可能にするように構成されており、第１の平面は第２の平面に実質的に直交する、装着可能な反射装置にある。
【００３２】
本発明の特定の実施形態の利点は、サイクリストが、振り返る必要なく、又は任意のかなりの時間自身の走行方向から集中を途切れさせる必要なく、自身の後ろの環境を見ることができ、振動の低減に起因して可視性が高まること、したがって安全性が高まることを含む。さらに、本発明の特定の実施形態は、使用角度等の特定の設定は保ったままで、使用されていないときのミラーのコンパクトな保管を可能にし、再び使用されるときのミラーの簡単で迅速な再構成を可能にする。
【００３３】
図１は、本発明の一実施形態による、ユーザの腕に取り付けられる装着可能な反射装置１００を示している。
【００３４】
装着可能な反射装置１００は、ユーザが、反射によって自身の通常の視線の外の物体を見ることを可能にするミラー１０５を含む。ミラー１０５は例えば、研磨されたアルミニウム表面、反射プラスチック、反射バッキングを有するガラス、又は任意の他の好適な材料を含むことができる。
【００３５】
ミラー１０５は実質的に平坦であるものとすることができるか、又は１つ又は複数の方向に凸状であるものとすることができる。凸面ミラー１０５には、平坦な反射面よりも広い視野を可能にするという利点があるが、視野が歪むという不都合点がある。
【００３６】
ミラー１０５は、ヒンジ１２０によって回転要素１１５に回動可能に取着されているカバー１１０に取り付け固定されている。カバー１１０は、ユーザがカバー１１０を好適な位置まで持ち上げることを可能にするリップ１２７を含む。カバー１１０は、カバー１１０が「カチッと」閉じるように、圧縮可能なリップ又はタブ（図示せず）によってベース１２５又は回転要素１１５に解放可能に係合可能である。
【００３７】
ミラー１０５は、カバー１１０が閉じるとカバー１１０及びベース１２５によって包囲されるようにカバー１１０の内面に取り付けられている。さらに、カバー１１０は、閉じると、ベース１２５と実質的に面一になり、したがって損傷から保護され、誰か若しくは何かに引っ掛かるか又は誰か若しくは何かを負傷させることから保護される。図２は、カバー１１０が閉じた状態の装着可能な反射装置１００を示している。
【００３８】
特定の実施形態によると、ベース１２５は、閉じたときにカバー１１０を囲み、したがってミラー１０５及びカバー１１０を損傷から更に保護するキャビティ（図示せず）を含む。
【００３９】
ベース１２５は例えば、射出成形されたプラスチック、ゴム等を含むことができる。
【００４０】
装着可能な反射装置１００は、装着可能な反射装置１００をユーザの腕に固定するストラップ１３０を更に含む。ストラップ１３０は、ベース１２５のチャネル１３５に通されるためのものであり、ベース１２５とともに、ユーザの腕が入るスリーブを形成する。ストラップ１３０は例えば、図示のように１センチメートル〜２センチメートルの幅であり、コンパクトな設計を提供することができるか、又は、１０ｃｍ幅等の数センチメートルの幅であり、装着時の安定性を提供する。
【００４１】
以下で更に説明するように、ストラップ１３０は、ストラップ１３０が自身に付着することを可能にする面ファスナを含む。しかし、代替的な実施形態によると、ストラップ１３０は、バックル、又はユーザの腕が入る弾性スリーブを含むことができる。
【００４２】
チャネル１３５を通してストラップ１３０の端部１４０を引っ張ることによって、ユーザは、ストラップ１３０によって形成されるスリーブの直径を調整し、したがってユーザに合うようにスリーブのサイズを調整することが可能である。
【００４３】
特定の実施形態によると、ストラップ１３０は、ユーザの上腕部としても知られている腕（上腕）に適切にフィットするようにサイズ決めされる。他の実施形態によると、ストラップ１３０は、ユーザの前腕（ｆｏｒｅａｒｍ（ａｎｔｅｂｒａｃｈｉｕｍ））又は手首（ｗｒｉｓｔ（（ｃａｒｐｕｓ））にフィットするようにサイズ決めされる。また更なる実施形態によると、装着可能な反射装置１００は、異なる用途に合うように幾つかの交換可能なストラップ１３０を含む。
【００４４】
図３は、装着可能な反射装置１００の分解図を示している。
【００４５】
上述したように、回転要素１１５は、カバー１１０がベース１２５に対して回転することを可能にする。これは、回転要素１１５の環状突起２１０がフィットするベース１２５内の環状チャネル２０５によって達成され、それによって、環状突起２１０は回転するときに環状チャネル２０５に沿って移動する。
【００４６】
回転要素１１５及びヒンジ１２０は互いに独立して機能することが可能である。例えば、カバー１１０は、回転要素１１５を回転させることなくヒンジ１２０によって上昇及び下降することができる。ヒンジ１２０の一部は回転要素１１５によって形成され、したがって回転要素１１５の回転に伴って回転する。
【００４７】
回転要素１１５及びベース１２５は、ベース１２５に対する回転要素１１５の平滑な移動を提供するＯリング２１５によって分離される。Ｏリング２１５は、ベース１２５及び回転要素１１５を分離し、ベース１２５と回転要素１１５との間の不所望の摩擦を回避し、及び／又は回転要素１１５を環状チャネル２０５に対して付勢し、例えば振動による回転要素１１５の意図しない回転を回避するのに用いることができる。
【００４８】
ヒンジ１２０及び回転要素１１５の使用によって、カバー１１０、したがってミラー１０５を、好適な視野がユーザに反射されるように位置決めすることが可能である。自転車に乗る場合、特に車線を変更するときにユーザの後ろの視界に対応する反射される視野を有することが有利である。しかし、他の使用では、例えばユーザの側部、ユーザの上方又は下方に対応するように視野を設定することが有利であり得る。
【００４９】
ヒンジ１２０は、第１の平面においてミラー１０５を回動させる手段を提供し、回転要素１１５は第２の平面におけるミラー１０５の回転を可能にする。第１の平面及び第２の平面は互いに直交するか又は実質的に直交するため、ミラー１０５は広範な位置に位置決めすることができる。ヒンジ１２０は垂直移動を提供し、一方で回転要素１１５は３６０度の回転を可能にする。
【００５０】
ユーザは、回転要素１１５及びヒンジ１２０の双方を用いて視野を最初に設定し、次に、回転要素１１５を後に調整する必要なくカバー１１０を単に開閉することが可能である。これによって、ユーザは、装着可能な反射装置１００の回転構造を保持することが可能でありながらも装着可能な反射装置１００を迅速に開閉することが可能となる。
【００５１】
ストラップ１３０は、空気及び水分がストラップ１３０を通って流れることを可能にする複数の穿孔部２２０を含む。さらに、ストラップ１３０は、水分がユーザの皮膚とストラップ１３０との間に捕えられないように通気性の水分透過性材料から作ることができる。
【００５２】
特定の実施形態によると、装着可能な反射装置１００は、ユーザの緊急連絡の詳細を提供する医療情報シート２２５を更に含む。医療情報シート２２５はＩＣＥ（救急時）識別タグを含むことができ、アレルギー情報又は任意の他の関連する情報を含むことができる。
【００５３】
医療情報シート２２５は、手書きの情報を含むことができるか、又はユーザに関連する情報を予め印刷することができる。
【００５４】
ストラップ１３０は、医療情報シート２２５を受け入れる、以下で更に記載するポケットを含む。特定の実施形態によると、ストラップ１３０は、医療情報シート２２５の存在を示すように例えば「＋」のインジケータでマーキングされる。
【００５５】
当業者には容易に理解されるように、代替的な実施形態は、ベースの１つ又は複数の突起が内部で移動することができる環状チャネルを含む回転要素を含むことができる。同様に、回転要素１１５は環状突起２１０を有する必要はないが、代わりに、回転要素の移動を環状チャネル２０５内の回転に制限する１つ又は複数の突起が存在することができる。
【００５６】
本発明の一実施形態に従って、図４ａは、装着可能な反射装置１００の上面斜視図を示しており、図４ｂは、反射装置１００の底面斜視図を示している。
【００５７】
ベース１２５の下面４０５はハニカム形状であり、装着可能な反射装置１００の強度及び剛性は維持しながらも重量を低減する複数の六角形の孔４１０を形成する。さらに、六角形の孔４１０は、空気がベース１２５内及びベース１２５の下を流れることを可能にし、水分がベース１２５の下に捕えられることを防止する。
【００５８】
ベースの下面４０５はユーザの腕の湾曲にフィットするように湾曲している。下面４０５の湾曲は、装着時に装着可能な反射装置１００に安定性も提供する。
【００５９】
本発明の実施形態に従って、図５ａは、ストラップ５００の上面図を示しており、図５ｂは、ストラップ５００の底面図を示しており、図５ｃは、ストラップ５００の端部の拡大側面図を示している。
【００６０】
図５ａを参照すると、ストラップ５００は、ストラップ５００に更なる通気性を提供する複数の穿孔部５０５を含む。
【００６１】
ストラップは、ストラップ５００の各端にフックファスナ層５１０を含み、ストラップ５００の中央部分にループファスナ層５１５を含む。フックファスナ層５１０のフックは、面ファスナの分野において十分に理解されるように、ループファスナ層５１５のループに取着される。
【００６２】
フックファスナ層５１０は例えば、ＡＰＬＩＸ  ＳＡ社（フランス）のＡＰＬＩＸ  ９４６マイクロマッシュルームフックを含むことができ、ループファスナ層５１５は例えば、同様にＡＰＬＩＸ  ＳＡ社（フランス）のＡＰＬＩＸ  １１０ライトニットループを含むことができる。
【００６３】
図５ｂを参照すると、ストラップ５００は、医療情報シート２２５を受け入れる、図３を参照して記載したポケットと同様のポケット５２０を含む。ポケット５２０は、以下で更に記載するようにストラップ５００の層間に形成される。
【００６４】
ストラップ５００は、医療情報シート２２５の存在を示す医療十字（「＋」）の形の医療情報識別子５２５を更に含む。
【００６５】
ここで図５ｃを参照すると、ストラップ５００は第１の層５３０及び第２の層５３５を含む。第１の層５３０及び第２の層５３５は、熱可塑性ポリウレタン（ＴＰＵ）を用いて一緒に結合される編まれたナイロン層を含むことができる。特定の実施形態によると、第１の層５３０及び第２の層５３５は異なる色を有する。
【００６６】
ポケット５２０は、第１の層５３０と第２の層５３５との間の開口部を含む。ポケット５２０は、第１の層５３０を第２の層５３５に結合するときに、第１の層５３０の一部に第２の層５３５がないままにし、すなわち第２の層５３５に結合しないことによって有利には形成され、上記部分がポケットを形成する。
【００６７】
図５ｃに示されているように、フックファスナ層５１０はループファスナ層５１５と同じく第１の層５３０に結合される。第１の層５３０及び第２の層５３５はそれぞれおよそ０．５ｍｍの厚さである。フックファスナ層５１０もおよそ０．５ｍｍの厚さであるのに対し、ループファスナ層５１５はおよそ１．３ｍｍの厚さである。当業者には容易に理解されるように、特定の用途に応じて他の厚さも好適／望ましいものとすることができる。
【００６８】
上述の装着可能な反射装置１００はサイクリングの文脈で記載したが、当業者であれば、装着可能な反射装置１００を、カヤック乗り、ボート漕ぎ又は任意の他の好適なスポーツ若しくはアクティビティの文脈において用いることができることを容易に理解するであろう。
【００６９】
要点としては、本発明の利点は、サイクリストが、振り返る必要なく、又は自身の走行方向から任意のかなりの時間集中を途切れさせる必要なく、自身の後ろの環境を見ることができ、振動の低減に起因して可視性が高まること、安全性が高まることを含む。さらに、本発明の特定の実施形態は、使用角度等の特定の設定は保ったままで、使用されていないときのミラーのコンパクトな保管を可能にし、再び使用されるときのミラーの簡単で迅速な再構成を可能にする。さらに、本発明の特定の実施形態は、緊急時に医療情報又は緊急情報を装置に保管することを可能にする。
【００７０】
本発明の種々の実施形態の上記記載は、関連技術の当業者に対する説明の目的で提供されている。上記記載は、網羅的であることも、本発明を１つの開示される実施形態に限定することも意図されない。前述したように、本発明に対する多くの代替形態及び変形形態が上記教示の当業者には明らかであろう。したがって、幾つかの代替的な実施形態を具体的に説明したが、他の実施形態が当業者には明らかであるか、又は当業者によって比較的容易に発展されるであろう。したがって、本特許明細書は、本明細書において説明した本発明の全ての代替形態、変更形態及び変形形態、並びに、上述した発明の主旨及び範囲内に入る他の実施形態を包含することが意図される。
【図１】
0005930053.tif 000002
【図２】
0005930053.tif 000003
【図３】
0005930053.tif 000004
【図４ａ】
0005930053.tif 000005
【図４ｂ】
0005930053.tif 000006
【図５ａ】
0005930053.tif 000007
【図５ｂ】
0005930053.tif 000008
【図５ｃ】
0005930053.tif 000009